【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
カレンダ情報をメディアガイドアプリケーション内に提示するための方法であって、
カレンダアプリケーションから、ユーザと関連付けられた複数のイベントに関するカレンダデータを受信することであって、前記カレンダデータは、関連付けられたイベント開始時間および終了時間を有するイベント時間間隔を備える、ことと、
前記複数のイベントのイベント時間間隔を第１の複数のメディアアセットのメディアアセット時間間隔と比較することであって、前記第１の複数のメディアアセットの各メディアアセットは、関連付けられたメディアアセット開始時間および終了時間を有し、対応するメディアアセット時間間隔の間、複数のユーザへの伝送のためにスケジュールされている、ことと、
前記比較に基づいて、対応するメディアアセットデータベースエントリ内に、第２の複数のメディアアセットに対応する第１の複数のメディアアセット識別子に関する競合インジケータを記憶することであって、前記第２の複数のメディアアセットは、前記イベント時間間隔のうちの少なくとも１つと少なくとも部分的に重複する関連付けられたメディアアセット時間間隔を有する、前記第１の複数のメディアアセットからのメディアアセットを備える、ことと、
表示のために、ある時間期間の間の前記複数のユーザへの伝送のためにスケジュールされているメディアアセットに対応する第２の複数のメディアアセット識別子を生成することであって、前記第２の複数のメディアアセット識別子は、前記第１の複数のメディアアセット識別子内に含まれるメディアアセット識別子を備える第１の部分と前記第１の複数のメディアアセット識別子内に含まれないメディアアセット識別子を含む第２の部分とを備え、前記第１の部分内のメディアアセット識別子は、前記第２の部分内のメディアアセット識別子から視覚的に区別される、ことと
を含む、方法。
【請求項２】
前記第１の部分内の第１のメディアアセット識別子に対応する第１のメディアアセットの伝送時間と少なくとも部分的に重複する、前記複数のイベントの第１のイベントの第１の優先順位を判定することと、
前記第１の部分内の第２のメディアアセット識別子に対応する第２のメディアアセットの伝送時間と少なくとも部分的に重複する、前記複数のイベントの第２のイベントの第２の優先順位を判定することと、
前記第２の優先順位と異なる前記第１の優先順位に基づいて、前記第１の部分内の第１のメディアアセット識別子を前記第１の部分内の第２のメディアアセット識別子から視覚的に区別することと
をさらに含む、請求項１に記載の方法。
【請求項３】
前記第１の優先順位と関連付けられた第１の視覚的インジケータおよび前記第２の優先順位と関連付けられた第２の視覚的インジケータを記憶することと、
表示のために、前記第１の視覚的インジケータを伴う前記第１のメディアアセット識別子と前記第２の視覚的インジケータを伴う前記第２のメディアアセット識別子とを生成することと
をさらに含む、請求項２に記載の方法。
【請求項４】
前記第１の優先順位を前記複数のイベントのうちの再スケジュールされ得るイベントに割り当て、前記第２の優先順位を前記複数のイベントのうちの再スケジュールされなくてよいイベントに割り当てることと、
前記第１のメディアアセット識別子のユーザ選択に応答して、表示のために、前記第１のイベントと関連付けられたカレンダデータを生成し、前記第１のイベントを再スケジュールするためのオプションをユーザに提供することと、
前記第２のメディアアセット識別子のユーザ選択に応答して、表示のために、前記第２のイベントと関連付けられたカレンダデータを生成し、前記第２のメディアアセットを記録するためのオプションを前記ユーザに提供することと
をさらに含む、請求項２に記載の方法。
【請求項５】
前記第１の部分内のメディアアセット識別子は、第１のタイプのインジケータによって前記第２の部分内のメディアアセット識別子から視覚的に区別され、前記第１のメディアアセット識別子は、第２のタイプのインジケータを伴う前記第２のメディアアセット識別子から視覚的に区別される、請求項２に記載の方法。
【請求項６】
前記インジケータのタイプは、色、陰影、およびアイコンを備える、請求項５に記載の方法。
【請求項７】
前記複数のイベントのイベント時間間隔を前記第１の複数のメディアアセットのメディアアセット時間間隔と比較することは、
前記複数のイベントの第１のイベントに関して、第１の開始時間および第１の終了時間を読み出すことと、
前記第１の複数のメディアアセット内の第１のメディアアセットに関して、第２の開始時間および第２の終了時間を読み出すことと、
前記第１の開始時間を前記第２の開始時間および前記第２の終了時間と比較し、前記第１の終了時間を前記第２の開始時間および前記第２の終了時間と比較することと、
前記第１の開始時間または前記第１の終了時間が前記第２の開始時間と前記第２の終了時間との間にあることの判定に基づいて、前記第１のメディアアセットに関する第１の競合インジケータを生成することと
を含む、請求項１に記載の方法。
【請求項８】
前記第１の部分内の第１のメディアアセット識別子のユーザ選択に応答して、表示のために、前記第１のメディアアセット識別子と関連付けられた第１のメディアアセットに対応する新しいイベントを作成するためのオプションを生成することと、
前記オプションのユーザ選択に応答して、前記第１のメディアアセットのメディアアセット開始時間、メディアアセット終了時間にそれぞれ対応するイベント開始時間、イベント終了時間を有する、前記新しいイベントを作成することと、
前記新しいイベントを前記カレンダアプリケーションに伝送することと
をさらに含む、請求項１に記載の方法。
【請求項９】
前記カレンダアプリケーションから、異なるユーザと関連付けられた複数のイベントに関するカレンダデータを受信することであって、前記異なるユーザと関連付けられたカレンダデータは、関連付けられたイベント開始時間および終了時間を有するイベント時間間隔を備える、ことと、
前記第２の複数のメディアアセットの前記第１の部分内の第１のメディアアセット識別子のユーザ選択に応答して、前記第１のメディアアセット識別子と関連付けられたメディアアセットの伝送時間が前記異なるユーザと関連付けられた前記イベント時間間隔のうちの少なくとも１つと少なくとも部分的に重複するかどうかを判定することと、
前記第１のメディアアセット識別子と関連付けられた前記メディアアセットの伝送時間が前記異なるユーザと関連付けられた前記イベント時間間隔のうちの少なくとも１つと少なくとも部分的に重複しないことの判定に基づいて、表示のために、前記第１のメディアアセット識別子と関連付けられたメディアアセットを消費するように前記異なるユーザを招待するためのオプションを生成することと
をさらに含む、請求項１に記載の方法。
【請求項１０】
ソーシャルネットワーキングアプリケーションと関連付けられたサーバから、前記ユーザの友達と関連付けられた複数のユーザ識別子を読み出すことと、
前記複数のユーザ識別子内のユーザ識別子毎に、各友達と関連付けられた複数のイベントに関するカレンダデータを読み出すことであって、前記カレンダデータは、関連付けられたイベント開始時間および終了時間を有するイベント時間間隔を備える、ことと、
前記第２の複数のメディアアセット識別子内の第１のメディアアセット識別子のユーザ選択に応答して、表示のために、前記第１のメディアアセット識別子に対応するメディアアセットを消費するようにスケジュールされている前記ユーザのそれらの友達と関連付けられた１つまたはそれを上回るユーザ識別子を生成することと
をさらに含む、請求項１に記載の方法。
【手続補正２】
【補正対象書類名】明細書
【補正対象項目名】００２１
【補正方法】変更
【補正の内容】
【００２１】
例えば、ユーザに、具体的番組（例えば、大統領候補討論会）を鑑賞または記録することがスケジュールされているその友達のリストを提供することが望ましくあり得る（例えば、ソーシャルネットワーキングアプリケーションから）。メディアガイドアプリケーションは、ユーザから、大統領候補討論会と関連付けられたメディアアセット識別子の選択を受信してもよい。メディアガイドアプリケーションは、表示のために、大統領候補討論会を鑑賞またはそれを記録することがスケジュールされているユーザの友達のリストをソーシャルネットワーキングアプリケーションから生成してもよい。
本発明は、例えば、以下を提供する。
（項目１）
カレンダ情報をメディアガイドアプリケーション内に提示するための方法であって、
カレンダアプリケーションから、ユーザと関連付けられた複数のイベントに関するカレンダデータを受信するステップであって、前記カレンダデータは、関連付けられたイベント開始時間および終了時間を有するイベント時間間隔を備える、ステップと、
前記複数のイベントのイベント時間間隔と第１の複数のメディアアセットのメディアアセット時間間隔とを比較するステップであって、前記第１の複数のメディアアセットの各メディアアセットは、関連付けられたメディアアセット開始時間および終了時間を有し、対応するメディアアセット時間間隔の間、複数のユーザへの伝送のためにスケジュールされている、ステップと、
前記比較に基づいて、対応するメディアアセットデータベースエントリ内に、第２の複数のメディアアセットに対応する第１の複数のメディアアセット識別子に関する競合インジケータを記憶するステップであって、前記第２の複数のメディアアセットは、前記イベント時間間隔のうちの少なくとも１つと少なくとも部分的に重複する関連付けられたメディアアセット時間間隔を有する、前記第１の複数のメディアアセットからのメディアアセットを備える、ステップと、
表示のために、ある時間期間の間の前記複数のユーザへの伝送のためにスケジュールされているメディアアセットに対応する第２の複数のメディアアセット識別子を生成するステップであって、前記第２の複数のメディアアセット識別子は、前記第１の複数のメディアアセット識別子内に含まれるメディアアセット識別子を備える第１の部分および前記第１の複数のメディアアセット識別子内に含まれないメディアアセット識別子を含む第２の部分を備え、前記第１の部分内のメディアアセット識別子は、前記第２の部分内のメディアアセット識別子から視覚的に区別される、ステップと
を含む、方法。
（項目２）
前記第１の部分内の第１のメディアアセット識別子に対応する第１のメディアアセットの伝送時間と少なくとも部分的に重複する、前記複数のイベントの第１のイベントの第１の優先順位を判定するステップと、
前記第１の部分内の第２のメディアアセット識別子に対応する第２のメディアアセットの伝送時間と少なくとも部分的に重複する、前記複数のイベントの第２のイベントの第２の優先順位を判定するステップと、
前記第２の優先順位と異なる前記第１の優先順位に基づいて、前記第１の部分内の第１のメディアアセット識別子を前記第１の部分内の第２のメディアアセット識別子から視覚的に区別するステップと
をさらに含む、項目１に記載の方法。
（項目３）
前記第１の優先順位と関連付けられた第１の視覚的インジケータおよび前記第２の優先順位と関連付けられた第２の視覚的インジケータを記憶するステップと、
表示のために、前記第１の視覚的インジケータを伴う前記第１のメディアアセット識別子および前記第２の視覚的インジケータを伴う前記第２のメディアアセット識別子を生成するステップと
をさらに含む、項目２に記載の方法。
（項目４）
前記第１の優先順位を再スケジュールされ得る前記複数のイベントのそれらのイベントに割り当て、前記第２の優先順位を再スケジュールされ得ない前記複数のイベントのそれらのイベントに割り当てるステップと、
前記第１のメディアアセット識別子のユーザ選択に応答して、表示のために、前記第１のイベントと関連付けられたカレンダデータを生成し、前記第１のイベントを再スケジュールするためのオプションをユーザに提供するステップと、
前記第２のメディアアセット識別子のユーザ選択に応答して、表示のために、前記第２のイベントと関連付けられたカレンダデータを生成し、前記第２のメディアアセットを記録するためのオプションを前記ユーザに提供するステップと
をさらに含む、項目２に記載の方法。
（項目５）
前記第１の部分内のメディアアセット識別子は、第１のタイプのインジケータによって前記第２の部分内のメディアアセット識別子から視覚的に区別され、前記第１のメディアアセット識別子は、第２のタイプのインジケータを伴う前記第２のメディアアセット識別子から視覚的に区別される、項目２に記載の方法。
（項目６）
前記インジケータのタイプは、色、陰影、およびアイコンを備える、項目５に記載の方法。
（項目７）
前記複数のイベントのイベント時間間隔と前記第１の複数のメディアアセットのメディアアセット時間間隔とを比較するステップは、
前記複数のイベントの第１のイベントに関して、第１の開始時間および第１の終了時間を読み出すステップと、
前記第１の複数のメディアアセット内の第１のメディアアセットに関して、第２の開始時間および第２の終了時間を読み出すステップと、
前記第１の開始時間と前記第２の開始時間および前記第２の終了時間とを比較し、前記第１の終了時間と前記第２の開始時間および前記第２の終了時間とを比較するステップと、
前記第１の開始時間または前記第１の終了時間が前記第２の開始時間と前記第２の終了時間との間にあることの判定に基づいて、前記第１のメディアアセットに関する第１の競合インジケータを生成するステップと
を含む、項目１に記載の方法。
（項目８）
前記第１の部分内の第１のメディアアセット識別子のユーザ選択に応答して、表示のために、前記第１のメディアアセット識別子と関連付けられた第１のメディアアセットに対応する新しいイベントを作成するためのオプションを生成するステップと、
前記オプションのユーザ選択に応答して、それぞれ、前記第１のメディアアセットのメディアアセット開始時間およびメディアアセット終了時間に対応するイベント開始時間およびイベント終了時間を有する、前記新しいイベントを作成するステップと、
前記新しいイベントを前記カレンダアプリケーションに伝送するステップと
をさらに含む、項目１に記載の方法。
（項目９）
前記カレンダアプリケーションから、異なるユーザと関連付けられた複数のイベントに関するカレンダデータを受信するステップであって、前記異なるユーザと関連付けられたカレンダデータは、関連付けられたイベント開始時間および終了時間を有するイベント時間間隔を備える、ステップと、
前記第２の複数のメディアアセットの前記第１の部分内の第１のメディアアセット識別子のユーザ選択に応答して、前記第１のメディアアセット識別子と関連付けられたメディアアセットの伝送時間が前記異なるユーザと関連付けられた前記イベント時間間隔のうちの少なくとも１つと少なくとも部分的に重複するかどうかを判定するステップと、
前記第１のメディアアセット識別子と関連付けられた前記メディアアセットの伝送時間が前記異なるユーザと関連付けられた前記イベント時間間隔のうちの少なくとも１つと少なくとも部分的に重複しないことの判定に基づいて、表示のために、前記第１のメディアアセット識別子と関連付けられたメディアアセットを消費するように前記異なるユーザを招待するためのオプションを生成するステップと
をさらに含む、項目１に記載の方法。
（項目１０）
ソーシャルネットワーキングアプリケーションと関連付けられたサーバから、前記ユーザの友達と関連付けられた複数のユーザ識別子を読み出すステップと、
前記複数のユーザ識別子内のユーザ識別子毎に、各友達と関連付けられた複数のイベントに関するカレンダデータを読み出すステップであって、前記カレンダデータは、関連付けられたイベント開始時間および終了時間を有するイベント時間間隔を備える、ステップと、
前記第２の複数のメディアアセット識別子内の第１のメディアアセット識別子のユーザ選択に応答して、表示のために、前記第１のメディアアセット識別子に対応するメディアアセットを消費するようにスケジュールされている前記ユーザのそれらの友達と関連付けられた１つまたはそれを上回るユーザ識別子を生成するステップと
をさらに含む、項目１に記載の方法。
（項目１１）
カレンダ情報をメディアガイドアプリケーション内に提示するためのシステムであって、
記憶デバイスと、
通信回路と、
制御回路であって、
カレンダアプリケーションから、通信回路を介して、ユーザと関連付けられた複数のイベントに関するカレンダデータを受信することであって、前記カレンダデータは、関連付けられたイベント開始時間および終了時間を有するイベント時間間隔を備える、ことと、
前記複数のイベントのイベント時間間隔と第１の複数のメディアアセットのメディアアセット時間間隔とを比較することであって、前記第１の複数のメディアアセットの各メディアアセットは、関連付けられたメディアアセット開始時間および終了時間を有し、対応するメディアアセット時間間隔の間、複数のユーザへの伝送のためにスケジュールされる、ことと、
前記比較に基づいて、前記記憶デバイスにおいて、対応するメディアアセットデータベースエントリ内に、第２の複数のメディアアセットに対応する第１の複数のメディアアセット識別子に関する競合インジケータを記憶することであって、前記第２の複数のメディアアセットは、前記イベント時間間隔のうちの少なくとも１つと少なくとも部分的に重複する関連付けられたメディアアセット時間間隔を有する、前記第１の複数のメディアアセットからのメディアアセットを備える、ことと、
表示のために、ある時間期間の間の前記複数のユーザへの伝送のためにスケジュールされているメディアアセットに対応する第２の複数のメディアアセット識別子を生成することであって、前記第２の複数のメディアアセット識別子は、前記第１の複数のメディアアセット識別子内に含まれるメディアアセット識別子を備える第１の部分および前記第１の複数のメディアアセット識別子内に含まれないメディアアセット識別子を含む第２の部分を備え、前記第１の部分内のメディアアセット識別子は、前記第２の部分内のメディアアセット識別子から視覚的に区別される、ことと
を行うように構成される、制御回路と、
を備える、システム。
（項目１２）
前記制御回路はさらに、
前記第１の部分内の第１のメディアアセット識別子に対応する第１のメディアアセットの伝送時間と少なくとも部分的に重複する、前記複数のイベントの第１のイベントの第１の優先順位を判定することと、
前記第１の部分内の第２のメディアアセット識別子に対応する第２のメディアアセットの伝送時間と少なくとも部分的に重複する、前記複数のイベントの第２のイベントの第２の優先順位を判定することと、
前記第２の優先順位と異なる前記第１の優先順位に基づいて、前記第１の部分内の第１のメディアアセット識別子を前記第１の部分内の第２のメディアアセット識別子から視覚的に区別することと
を行うように構成される、項目１１に記載のシステム。
（項目１３）
前記制御回路はさらに、
前記記憶デバイス内に、前記第１の優先順位と関連付けられた第１の視覚的インジケータおよび前記第２の優先順位と関連付けられた第２の視覚的インジケータを記憶することと、
表示のために、前記第１の視覚的インジケータを伴う前記第１のメディアアセット識別子および前記第２の視覚的インジケータを伴う前記第２のメディアアセット識別子を生成することと
を行うように構成される、項目１２に記載のシステム。
（項目１４）
前記制御回路はさらに、
前記第１の優先順位を再スケジュールされ得る前記複数のイベントのそれらのイベントに割り当て、前記第２の優先順位を再スケジュールされ得ない前記複数のイベントのそれらのイベントに割り当てることと、
前記第１のメディアアセット識別子のユーザ選択に応答して、表示のために、前記第１のイベントと関連付けられたカレンダデータを生成し、前記第１のイベントを再スケジュールするためのオプションをユーザに提供することと、
前記第２のメディアアセット識別子のユーザ選択に応答して、表示のために、前記第２のイベントと関連付けられたカレンダデータを生成し、前記第２のメディアアセットを記録するためのオプションを前記ユーザに提供することと
を行うように構成される、項目１２に記載のシステム。
（項目１５）
前記第１の部分内のメディアアセット識別子は、第１のタイプのインジケータによって前記第２の部分内のメディアアセット識別子から視覚的に区別され、前記第１のメディアアセット識別子は、第２のタイプのインジケータを伴う前記第２のメディアアセット識別子から視覚的に区別される、項目１２に記載のシステム。
（項目１６）
前記インジケータのタイプは、色、陰影、およびアイコンを備える、項目１５に記載のシステム。
（項目１７）
前記制御回路は、前記複数のイベントのイベント時間間隔と前記第１の複数のメディアアセットのメディアアセット時間間隔とを比較するとき、
前記複数のイベントの第１のイベントに関して、第１の開始時間および第１の終了時間を読み出すことと、
前記第１の複数のメディアアセット内の第１のメディアアセットに関して、第２の開始時間および第２の終了時間を読み出すことと、
前記第１の開始時間と前記第２の開始時間および前記第２の終了時間とを比較し、前記第１の終了時間と前記第２の開始時間および前記第２の終了時間とを比較することと、
前記第１の開始時間または前記第１の終了時間が前記第２の開始時間と前記第２の終了時間との間にあることの判定に基づいて、前記第１のメディアアセットに関する第１の競合インジケータを生成することと
を行うようにさらに構成される、項目１１に記載のシステム。
（項目１８）
前記制御回路は、
前記第１の部分内の第１のメディアアセット識別子のユーザ選択に応答して、表示のために、前記第１のメディアアセット識別子と関連付けられた第１のメディアアセットに対応する新しいイベントを作成するためのオプションを生成することと、
前記オプションのユーザ選択に応答して、それぞれ、前記第１のメディアアセットのメディアアセット開始時間およびメディアアセット終了時間に対応するイベント開始時間およびイベント終了時間を有する、前記新しいイベントを作成することと、
前記新しいイベントを前記カレンダアプリケーションに伝送することと
を行うようにさらに構成される、項目１１に記載のシステム。
（項目１９）
前記制御回路は、
前記カレンダアプリケーションから、異なるユーザと関連付けられた複数のイベントに関するカレンダデータを受信することであって、前記異なるユーザと関連付けられたカレンダデータは、関連付けられたイベント開始時間および終了時間を有するイベント時間間隔を備える、ことと、
前記第２の複数のメディアアセットの前記第１の部分内の第１のメディアアセット識別子のユーザ選択に応答して、前記第１のメディアアセット識別子と関連付けられたメディアアセットの伝送時間が前記異なるユーザと関連付けられた前記イベント時間間隔のうちの少なくとも１つと少なくとも部分的に重複するかどうかを判定することと、
前記第１のメディアアセット識別子と関連付けられた前記メディアアセットの伝送時間が、前記異なるユーザと関連付けられた前記イベント時間間隔のうちの少なくとも１つと少なくとも部分的に重複しないことの判定に基づいて、表示のために、前記第１のメディアアセット識別子と関連付けられたメディアアセットを消費するように前記異なるユーザを招待するためのオプションを生成することと
を行うようにさらに構成される、項目１１に記載のシステム。
（項目２０）
前記制御回路は、
ソーシャルネットワーキングアプリケーションと関連付けられたサーバから、前記ユーザの友達と関連付けられた複数のユーザ識別子を読み出すことと、
前記複数のユーザ識別子内のユーザ識別子毎に、各友達と関連付けられた複数のイベントに関するカレンダデータを読み出すことであって、前記カレンダデータは、関連付けられたイベント開始時間および終了時間を有するイベント時間間隔を備える、ことと、
前記第２の複数のメディアアセット識別子内の第１のメディアアセット識別子のユーザ選択に応答して、表示のために、前記第１のメディアアセット識別子に対応するメディアアセットを消費するようにスケジュールされている前記ユーザのそれらの友達と関連付けられた１つまたはそれを上回るユーザ識別子を生成することと
を行うようにさらに構成される、項目１１に記載のシステム。
（項目２１）
カレンダ情報をメディアガイドアプリケーション内に提示するためのシステムであって、
カレンダアプリケーションから、ユーザと関連付けられた複数のイベントに関するカレンダデータを受信するための手段であって、前記カレンダデータは、関連付けられたイベント開始時間および終了時間を有するイベント時間間隔を備える、手段と、
前記複数のイベントのイベント時間間隔と第１の複数のメディアアセットのメディアアセット時間間隔とを比較するための手段であって、前記第１の複数のメディアアセットの各メディアアセットは、関連付けられたメディアアセット開始時間および終了時間を有し、対応するメディアアセット時間間隔の間、複数のユーザへの伝送のためにスケジュールされている、手段と、
前記比較に基づいて、対応するメディアアセットデータベースエントリ内に、第２の複数のメディアアセットに対応する第１の複数のメディアアセット識別子に関する競合インジケータを記憶するための手段であって、前記第２の複数のメディアアセットは、前記イベント時間間隔のうちの少なくとも１つと少なくとも部分的に重複する関連付けられたメディアアセット時間間隔を有する、前記第１の複数のメディアアセットからのメディアアセットを備える、手段と、
表示のために、ある時間期間の間の前記複数のユーザへの伝送のためにスケジュールされているメディアアセットに対応する第２の複数のメディアアセット識別子を生成するための手段であって、前記第２の複数のメディアアセット識別子は、前記第１の複数のメディアアセット識別子内に含まれるメディアアセット識別子を備える第１の部分および前記第１の複数のメディアアセット識別子内に含まれないメディアアセット識別子を含む第２の部分を備え、前記第１の部分内のメディアアセット識別子は、前記第２の部分内のメディアアセット識別子から視覚的に区別される、手段と
を備える、システム。
（項目２２）
前記第１の部分内の第１のメディアアセット識別子に対応する第１のメディアアセットの伝送時間と少なくとも部分的に重複する、前記複数のイベントの第１のイベントの第１の優先順位を判定するための手段と、
前記第１の部分内の第２のメディアアセット識別子に対応する第２のメディアアセットの伝送時間と少なくとも部分的に重複する、前記複数のイベントの第２のイベントの第２の優先順位を判定するための手段と、
前記第２の優先順位と異なる前記第１の優先順位に基づいて、前記第１の部分内の第１のメディアアセット識別子を前記第１の部分内の第２のメディアアセット識別子から視覚的に区別するための手段と
をさらに備える、項目２１に記載のシステム。
（項目２３）
前記第１の優先順位と関連付けられた第１の視覚的インジケータおよび前記第２の優先順位と関連付けられた第２の視覚的インジケータを記憶するための手段と、
表示のために、前記第１の視覚的インジケータを伴う前記第１のメディアアセット識別子および前記第２の視覚的インジケータを伴う前記第２のメディアアセット識別子を生成するための手段と
をさらに備える、項目２２に記載のシステム。
（項目２４）
前記第１の優先順位を再スケジュールされ得る前記複数のイベントのそれらのイベントに割り当て、前記第２の優先順位を再スケジュールされ得ない前記複数のイベントのそれらのイベントに割り当てるための手段と、
前記第１のメディアアセット識別子のユーザ選択に応答して、表示のために、前記第１のイベントと関連付けられたカレンダデータを生成し、前記第１のイベントを再スケジュールするためのオプションをユーザに提供するための手段と、
前記第２のメディアアセット識別子のユーザ選択に応答して、表示のために、前記第２のイベントと関連付けられたカレンダデータを生成し、前記第２のメディアアセットを記録するためのオプションを前記ユーザに提供するための手段と
をさらに備える、項目２２に記載のシステム。
（項目２５）
前記第１の部分内のメディアアセット識別子は、第１のタイプのインジケータによって前記第２の部分内のメディアアセット識別子から視覚的に区別され、前記第１のメディアアセット識別子は、第２のタイプのインジケータを伴う前記第２のメディアアセット識別子から視覚的に区別される、項目２２に記載のシステム。
（項目２６）
前記インジケータのタイプは、色、陰影、およびアイコンを備える、項目２５に記載のシステム。
（項目２７）
前記複数のイベントのイベント時間間隔と前記第１の複数のメディアアセットのメディアアセット時間間隔とを比較するための手段は、
前記複数のイベントの第１のイベントに関して、第１の開始時間および第１の終了時間を読み出すための手段と、
前記第１の複数のメディアアセット内の第１のメディアアセットに関して、第２の開始時間および第２の終了時間を読み出すための手段と、
前記第１の開始時間と前記第２の開始時間および前記第２の終了時間とを比較し、前記第１の終了時間と前記第２の開始時間および前記第２の終了時間とを比較するための手段と、
前記第１の開始時間または前記第１の終了時間が前記第２の開始時間と前記第２の終了時間との間にあることの判定に基づいて、前記第１のメディアアセットに関する第１の競合インジケータを生成するための手段と
を含む、項目２１に記載のシステム。
（項目２８）
前記第１の部分内の第１のメディアアセット識別子のユーザ選択に応答して、表示のために、前記第１のメディアアセット識別子と関連付けられた第１のメディアアセットに対応する新しいイベントを作成するためのオプションを生成するための手段と、
前記オプションのユーザ選択に応答して、それぞれ、前記第１のメディアアセットのメディアアセット開始時間およびメディアアセット終了時間に対応するイベント開始時間およびイベント終了時間を有する、前記新しいイベントを作成するための手段と、
前記新しいイベントを前記カレンダアプリケーションに伝送するための手段と
をさらに備える、項目２１に記載のシステム。
（項目２９）
前記カレンダアプリケーションから、異なるユーザと関連付けられた複数のイベントに関するカレンダデータを受信するための手段であって、前記異なるユーザと関連付けられたカレンダデータは、関連付けられたイベント開始時間および終了時間を有するイベント時間間隔を備える、手段と、
前記第２の複数のメディアアセットの前記第１の部分内の第１のメディアアセット識別子のユーザ選択に応答して、前記第１のメディアアセット識別子と関連付けられたメディアアセットの伝送時間が前記異なるユーザと関連付けられた前記イベント時間間隔のうちの少なくとも１つと少なくとも部分的に重複するかどうかを判定するための手段と、
前記第１のメディアアセット識別子と関連付けられた前記メディアアセットの伝送時間が前記異なるユーザと関連付けられた前記イベント時間間隔のうちの少なくとも１つと少なくとも部分的に重複しないことの判定に基づいて、表示のために、前記第１のメディアアセット識別子と関連付けられたメディアアセットを消費するように前記異なるユーザを招待するためのオプションを生成するための手段と
をさらに備える、項目２１に記載のシステム。
（項目３０）
ソーシャルネットワーキングアプリケーションと関連付けられたサーバから、前記ユーザの友達と関連付けられた複数のユーザ識別子を読み出すための手段と、
前記複数のユーザ識別子内のユーザ識別子毎に、各友達と関連付けられた複数のイベントに関するカレンダデータを読み出すための手段であって、前記カレンダデータは、関連付けられたイベント開始時間および終了時間を有するイベント時間間隔を備える、手段と、
前記第２の複数のメディアアセット識別子内の第１のメディアアセット識別子のユーザ選択に応答して、表示のために、前記第１のメディアアセット識別子に対応するメディアアセットを消費するようにスケジュールされている前記ユーザのそれらの友達と関連付けられた１つまたはそれを上回るユーザ識別子を生成するための手段と
をさらに備える、項目２１に記載のシステム。
（項目３１）
カレンダ情報をメディアガイドアプリケーション内に提示するためのその上に符号化された命令を有する、非一過性コンピュータ可読媒体であって、前記命令は、
カレンダアプリケーションから、ユーザと関連付けられた複数のイベントに関するカレンダデータを受信するための命令であって、前記カレンダデータは、関連付けられたイベント開始時間および終了時間を有するイベント時間間隔を備える、命令と、
前記複数のイベントのイベント時間間隔と第１の複数のメディアアセットのメディアアセット時間間隔とを比較するための命令であって、前記第１の複数のメディアアセットの各メディアアセットは、関連付けられたメディアアセット開始時間および終了時間を有し、対応するメディアアセット時間間隔の間、複数のユーザへの伝送のためにスケジュールされている、命令と、
前記比較に基づいて、対応するメディアアセットデータベースエントリ内に、第２の複数のメディアアセットに対応する第１の複数のメディアアセット識別子に関する競合インジケータを記憶するための命令であって、前記第２の複数のメディアアセットは、前記イベント時間間隔のうちの少なくとも１つと少なくとも部分的に重複する関連付けられたメディアアセット時間間隔を有する、前記第１の複数のメディアアセットからのメディアアセットを備える、命令と、
表示のために、ある時間期間の間の前記複数のユーザへの伝送のためにスケジュールされているメディアアセットに対応する第２の複数のメディアアセット識別子を生成するための命令であって、前記第２の複数のメディアアセット識別子は、前記第１の複数のメディアアセット識別子内に含まれるメディアアセット識別子を備える第１の部分および前記第１の複数のメディアアセット識別子内に含まれないメディアアセット識別子を含む第２の部分を備え、前記第１の部分内のメディアアセット識別子は、前記第２の部分内のメディアアセット識別子から視覚的に区別される、命令と
を備える、非一過性コンピュータ可読媒体。
（項目３２）
前記命令はさらに、
前記第１の部分内の第１のメディアアセット識別子に対応する第１のメディアアセットの伝送時間と少なくとも部分的に重複する、前記複数のイベントの第１のイベントの第１の優先順位を判定するための命令と、
前記第１の部分内の第２のメディアアセット識別子に対応する第２のメディアアセットの伝送時間と少なくとも部分的に重複する、前記複数のイベントの第２のイベントの第２の優先順位を判定するための命令と、
前記第２の優先順位と異なる前記第１の優先順位に基づいて、前記第１の部分内の第１のメディアアセット識別子を前記第１の部分内の第２のメディアアセット識別子から視覚的に区別するための命令と
を備える、項目３１に記載の非一過性コンピュータ可読媒体。
（項目３３）
前記命令はさらに、
前記第１の優先順位と関連付けられた第１の視覚的インジケータおよび前記第２の優先順位と関連付けられた第２の視覚的インジケータを記憶するための命令と、
表示のために、前記第１の視覚的インジケータを伴う前記第１のメディアアセット識別子および前記第２の視覚的インジケータを伴う前記第２のメディアアセット識別子を生成するための命令と
を備える、項目３２に記載の非一過性コンピュータ可読媒体。
（項目３４）
前記命令はさらに、
前記第１の優先順位を再スケジュールされ得る前記複数のイベントのそれらのイベントに割り当て、前記第２の優先順位を再スケジュールされ得ない前記複数のイベントのそれらのイベントに割り当てるための命令と、
前記第１のメディアアセット識別子のユーザ選択に応答して、表示のために、前記第１のイベントと関連付けられたカレンダデータを生成し、前記第１のイベントを再スケジュールするためのオプションをユーザに提供するための命令と、
前記第２のメディアアセット識別子のユーザ選択に応答して、表示のために、前記第２のイベントと関連付けられたカレンダデータを生成し、前記第２のメディアアセットを記録するためのオプションを前記ユーザに提供するための命令と
を備える、項目３２に記載の非一過性コンピュータ可読媒体。
（項目３５）
前記第１の部分内のメディアアセット識別子は、第１のタイプのインジケータによって前記第２の部分内のメディアアセット識別子から視覚的に区別され、前記第１のメディアアセット識別子は、第２のタイプのインジケータを伴う前記第２のメディアアセット識別子から視覚的に区別される、項目３２に記載の非一過性コンピュータ可読媒体。
（項目３６）
前記インジケータのタイプは、色、陰影、およびアイコンを備える、項目３５に記載の非一過性コンピュータ可読媒体。
（項目３７）
前記複数のイベントのイベント時間間隔と前記第１の複数のメディアアセットのメディアアセット時間間隔とを比較するための命令はさらに、
前記複数のイベントの第１のイベントに関して、第１の開始時間および第１の終了時間を読み出すための命令と、
前記第１の複数のメディアアセット内の第１のメディアアセットに関して、第２の開始時間および第２の終了時間を読み出すための命令と、
前記第１の開始時間と前記第２の開始時間および前記第２の終了時間とを比較し、前記第１の終了時間と前記第２の開始時間および前記第２の終了時間とを比較するための命令と、
前記第１の開始時間または前記第１の終了時間が前記第２の開始時間と前記第２の終了時間との間にあることの判定に基づいて、前記第１のメディアアセットに関する第１の競合インジケータを生成するための命令と
を備える、項目３１に記載の非一過性コンピュータ可読媒体。
（項目３８）
前記命令はさらに、
前記第１の部分内の第１のメディアアセット識別子のユーザ選択に応答して、表示のために、前記第１のメディアアセット識別子と関連付けられた第１のメディアアセットに対応する新しいイベントを作成するためのオプションを生成するための命令と、
前記オプションのユーザ選択に応答して、それぞれ、前記第１のメディアアセットのメディアアセット開始時間およびメディアアセット終了時間に対応するイベント開始時間およびイベント終了時間を有する、前記新しいイベントを作成するための命令と、
前記新しいイベントを前記カレンダアプリケーションに伝送するための命令と
を備える、項目３１に記載の非一過性コンピュータ可読媒体。
（項目３９）
前記命令はさらに、
前記カレンダアプリケーションから、異なるユーザと関連付けられた複数のイベントに関するカレンダデータを受信するための命令であって、前記異なるユーザと関連付けられたカレンダデータは、関連付けられたイベント開始時間および終了時間を有するイベント時間間隔を備える、命令と、
前記第２の複数のメディアアセットの前記第１の部分内の第１のメディアアセット識別子のユーザ選択に応答して、前記第１のメディアアセット識別子と関連付けられたメディアアセットの伝送時間が前記異なるユーザと関連付けられた前記イベント時間間隔のうちの少なくとも１つと少なくとも部分的に重複するかどうかを判定するための命令と、
前記第１のメディアアセット識別子と関連付けられた前記メディアアセットの伝送時間が前記異なるユーザと関連付けられた前記イベント時間間隔のうちの少なくとも１つと少なくとも部分的に重複しないことの判定に基づいて、表示のために、前記第１のメディアアセット識別子と関連付けられたメディアアセットを消費するように前記異なるユーザを招待するためのオプションを生成するための命令と
を備える、項目３１に記載の非一過性コンピュータ可読媒体。
（項目４０）
前記命令はさらに、
ソーシャルネットワーキングアプリケーションと関連付けられたサーバから、前記ユーザの友達と関連付けられた複数のユーザ識別子を読み出すための命令と、
前記複数のユーザ識別子内のユーザ識別子毎に、各友達と関連付けられた複数のイベントに関するカレンダデータを読み出すための命令であって、前記カレンダデータは、関連付けられたイベント開始時間および終了時間を有するイベント時間間隔を備える、命令と、
前記第２の複数のメディアアセット識別子内の第１のメディアアセット識別子のユーザ選択に応答して、表示のために、前記第１のメディアアセット識別子に対応するメディアアセットを消費するようにスケジュールされている前記ユーザのそれらの友達と関連付けられた１つまたはそれを上回るユーザ識別子を生成するための命令と
を備える、項目３１に記載の非一過性コンピュータ可読媒体。
（項目４１）
カレンダ情報をメディアガイドアプリケーション内に提示するための方法であって、
カレンダアプリケーションから、ユーザと関連付けられた複数のイベントに関するカレンダデータを受信するステップであって、前記カレンダデータは、イベント時間間隔を備える、ステップと、
前記イベント時間間隔に基づいて、前記ユーザと関連付けられたイベントと重複する伝送時間を有するメディアアセットに対応する、第１の複数のメディアアセット識別子を判定するステップと、
前記判定に基づいて、表示のために、ある時間期間の間の前記複数のユーザへの伝送のためにスケジュールされているメディアアセットに対応する第２の複数のメディアアセット識別子を生成するステップであって、前記第２の複数のメディアアセット識別子は、前記第１の複数のメディアアセット識別子内に含まれるメディアアセット識別子を備える第１の部分および前記第１の複数のメディアアセット識別子内に含まれないメディアアセット識別子を含む第２の部分を備え、前記第１の部分内のメディアアセット識別子は、前記第２の部分内のメディアアセット識別子から視覚的に区別される、ステップと
を含む、方法。
（項目４２）
前記第１の部分内の第１のメディアアセット識別子に対応する第１のメディアアセットの伝送時間と少なくとも部分的に重複する、前記複数のイベントの第１のイベントの第１の優先順位を判定するステップと、
前記第１の部分内の第２のメディアアセット識別子に対応する第２のメディアアセットの伝送時間と少なくとも部分的に重複する、前記複数のイベントの第２のイベントの第２の優先順位を判定するステップと、
前記第２の優先順位と異なる前記第１の優先順位に基づいて、前記第１の部分内の第１のメディアアセット識別子を前記第１の部分内の第２のメディアアセット識別子から視覚的に区別するステップと
をさらに含む、項目４１に記載の方法。
（項目４３）
前記第１の優先順位と関連付けられた第１の視覚的インジケータおよび前記第２の優先順位と関連付けられた第２の視覚的インジケータを記憶するステップと、
表示のために、前記第１の視覚的インジケータを伴う前記第１のメディアアセット識別子および前記第２の視覚的インジケータを伴う前記第２のメディアアセット識別子を生成するステップと
をさらに含む、項目４２に記載の方法。
（項目４４）
前記第１の優先順位を再スケジュールされ得る前記複数のイベントのそれらのイベントに割り当て、前記第２の優先順位を再スケジュールされ得ない前記複数のイベントのそれらのイベントに割り当てるステップと、
前記第１のメディアアセット識別子のユーザ選択に応答して、表示のために、前記第１のイベントと関連付けられたカレンダデータを生成し、前記第１のイベントを再スケジュールするためのオプションをユーザに提供するステップと、
前記第２のメディアアセット識別子のユーザ選択に応答して、表示のために、前記第２のイベントと関連付けられたカレンダデータを生成し、前記第２のメディアアセットを記録するためのオプションを前記ユーザに提供するステップと
をさらに含む、項目４２または４３に記載の方法。
（項目４５）
前記第１の部分内のメディアアセット識別子は、第１のタイプのインジケータによって前記第２の部分内のメディアアセット識別子から視覚的に区別され、前記第１のメディアアセット識別子は、第２のタイプのインジケータを伴う前記第２のメディアアセット識別子から視覚的に区別される、項目４２−４４のいずれか１項に記載の方法。
（項目４６）
前記イベント時間間隔に基づいて、前記ユーザと関連付けられたイベントと重複するメディアアセットに対応する前記第１の複数のメディアアセット識別子を判定するステップは、
前記複数のイベントのイベント時間間隔と第１の複数のメディアアセットのメディアアセット時間間隔とを比較するステップと、
前記比較に基づいて、前記第２の複数のメディアアセットに対応する前記第１の複数のメディアアセット識別子に関する競合インジケータを記憶するステップであって，前記第２の複数のメディアアセットは、前記イベント時間間隔のうちの少なくとも１つと少なくとも部分的に重複する関連付けられたメディアアセット時間間隔を有する、前記第１の複数のメディアアセットからのメディアアセットを備える、ステップと
を含む、項目４１−４５のいずれか１項に記載の方法。
（項目４７）
前記複数のイベントのイベント時間間隔と前記第１の複数のメディアアセットのメディアアセット時間間隔とを比較するステップは、
前記複数のイベントの第１のイベントに関して、第１の開始時間および第１の終了時間を読み出すステップと、
前記第１の複数のメディアアセット内の第１のメディアアセットに関して、第２の開始時間および第２の終了時間を読み出すステップと、
前記第１の開始時間と前記第２の開始時間および前記第２の終了時間とを比較し、前記第１の終了時間と前記第２の開始時間および前記第２の終了時間とを比較するステップと、
前記第１の開始時間または前記第１の終了時間が前記第２の開始時間と前記第２の終了時間との間にあることの判定に基づいて、前記第１のメディアアセットに関する第１の競合インジケータを生成するステップと
を含む、項目４１−４６のいずれか１項に記載の方法。
（項目４８）
前記第１の部分内の第１のメディアアセット識別子のユーザ選択に応答して、表示のために、前記第１のメディアアセット識別子と関連付けられた第１のメディアアセットに対応する新しいイベントを作成するためのオプションを生成するステップと、
前記オプションのユーザ選択に応答して、それぞれ、前記第１のメディアアセットのメディアアセット開始時間およびメディアアセット終了時間に対応するイベント開始時間およびイベント終了時間を有する、前記新しいイベントを作成するステップと、
前記新しいイベントを前記カレンダアプリケーションに伝送するステップと
をさらに含む、項目４１−４７のいずれか１項に記載の方法。
（項目４９）
前記カレンダアプリケーションから、異なるユーザと関連付けられた複数のイベントに関するカレンダデータを受信するステップであって、前記異なるユーザと関連付けられたカレンダデータは、関連付けられたイベント開始時間および終了時間を有するイベント時間間隔を備える、ステップと、
前記第２の複数のメディアアセットの前記第１の部分内の第１のメディアアセット識別子のユーザ選択に応答して、前記第１のメディアアセット識別子と関連付けられたメディアアセットの伝送時間が前記異なるユーザと関連付けられた前記イベント時間間隔のうちの少なくとも１つと少なくとも部分的に重複するかどうかを判定するステップと、
前記第１のメディアアセット識別子と関連付けられた前記メディアアセットの伝送時間が前記異なるユーザと関連付けられた前記イベント時間間隔のうちの少なくとも１つと少なくとも部分的に重複しないことの判定に基づいて、表示のために、前記第１のメディアアセット識別子と関連付けられたメディアアセットを消費するように前記異なるユーザを招待するためのオプションを生成するステップと
をさらに含む、項目４１−４８のいずれか１項に記載の方法。
（項目５０）
ソーシャルネットワーキングアプリケーションと関連付けられたサーバから、前記ユーザの友達と関連付けられた複数のユーザ識別子を読み出すステップと、
前記複数のユーザ識別子内のユーザ識別子毎に、各友達と関連付けられた複数のイベントに関するカレンダデータを読み出すステップであって、前記カレンダデータは、関連付けられたイベント開始時間および終了時間を有するイベント時間間隔を備える、ステップと、
前記第２の複数のメディアアセット識別子内の第１のメディアアセット識別子のユーザ選択に応答して、表示のために、前記第１のメディアアセット識別子に対応するメディアアセットを消費するようにスケジュールされている前記ユーザのそれらの友達と関連付けられた１つまたはそれを上回るユーザ識別子を生成するステップと
をさらに含む、項目４１−４９のいずれか１項に記載の方法。